(57)【要約】【課題】リアルタイムで電力機器を制御する。【解決手段】クライアント装置は、複数の電力機器の稼働状況および電力値を含むデータのうち、少なくとも一部の電力機器のデータを集約するデータ集約部と、データ集約部によりデータが集約された後の複数の電力機器のデータを、サーバ装置に送信するデータ送信部と、サーバ装置から運転計画の情報を受信する運転計画受信部と、運転計画受信部が受信した運転計画の情報に従い、複数の電力機器を制御する機器制御部とを含み、サーバ装置は、複数のクライアント装置の各々から、データ集約部によりデータが集約された後の複数の電力機器のデータを受信するデータ受信部と、データ受信部が受信した複数の電力機器のデータに基づいて、電力設備毎の運転計画を作成する運転計画作成部と、運転計画作成部が作成した運転計画の情報を、複数のクライアント装置に送信する運転計画送信部とを含む。【選択図】図１
2017118698.tif 000002
【特許請求の範囲】
【請求項１】
電力系統から一括受電した電力の分配先である複数の電力設備にそれぞれ対応付けられ、対応する電力設備に含まれる複数の電力機器を制御する複数のクライアント装置と、
前記複数の電力設備の各々について、当該電力設備の運転計画を作成するサーバ装置とを備え、
前記複数のクライアント装置の各々は、
前記複数の電力機器の稼働状況および電力値を含むデータのうち、少なくとも一部の電力機器のデータを集約するデータ集約部と、
前記データ集約部によりデータが集約された後の前記複数の電力機器のデータを、前記サーバ装置に送信するデータ送信部と、
前記サーバ装置から前記運転計画の情報を受信する運転計画受信部と、
前記運転計画受信部が受信した前記運転計画の情報に従い、前記複数の電力機器を制御する機器制御部とを含み、
前記サーバ装置は、
前記複数のクライアント装置の各々から、前記データ集約部によりデータが集約された後の前記複数の電力機器のデータを受信するデータ受信部と、
前記データ受信部が受信した前記複数の電力機器のデータに基づいて、前記電力設備毎の運転計画を作成する運転計画作成部と、
前記運転計画作成部が作成した前記運転計画の情報を、前記複数のクライアント装置に送信する運転計画送信部とを含む
電力システム。
【請求項２】
前記運転計画作成部は、前記運転計画として、前記電力設備における電力の出力調整量の計画を作成する
請求項１に記載の電力システム。
【請求項３】
前記データ集約部は、前記少なくとも一部の電力機器のデータを、前記出力調整量を変数とする目的関数を示すデータに集約する
請求項２に記載の電力システム。
【請求項４】
前記機器制御部は、前記運転計画受信部が受信した前記運転計画の情報に基づいて、前記複数の電力機器を個別に制御するための制御情報を作成し、作成した当該制御情報に基づいて前記複数の電力機器を制御する
請求項２または請求項３に記載の電力システム。
【請求項５】
電力系統から一括受電した電力の分配先である複数の電力設備の各々について、当該電力設備の運転計画を作成するサーバ装置であって、
前記複数の電力設備にそれぞれ対応付けられ、対応する電力設備に含まれる複数の電力機器を制御する複数のクライアント装置の各々から、前記複数の電力機器の稼働状況および電力値を含むデータのうち、少なくとも一部の電力機器のデータが集約された後の前記複数の電力機器のデータを受信するデータ受信部と、
前記データ受信部が受信した前記複数の電力機器のデータに基づいて、前記電力設備毎の運転計画を作成する運転計画作成部と、
前記運転計画作成部が作成した前記運転計画の情報を、前記複数のクライアント装置に送信する運転計画送信部と
を備えるサーバ装置。
【請求項６】
電力系統から一括受電した電力の分配先である電力設備に対応付けられ、当該電力設備に含まれる複数の電力機器を制御するクライアント装置であって、
前記複数の電力機器の稼働状況および電力値を含むデータのうち、少なくとも一部の電力機器のデータを集約するデータ集約部と、
前記データ集約部によりデータが集約された後の前記複数の電力機器のデータを、サーバ装置に送信するデータ送信部と、
前記サーバ装置から、前記電力設備の運転計画の情報を受信する運転計画受信部と、
前記運転計画受信部が受信した前記運転計画の情報に従い、前記複数の電力機器を制御する機器制御部と
を備えるクライアント装置。
【請求項７】
電力系統から一括受電した電力の分配先である複数の電力設備にそれぞれ対応付けられ、対応する電力設備に含まれる複数の電力機器を制御する複数のクライアント装置と、
前記複数の電力設備の各々について、当該電力設備の運転計画を作成するサーバ装置とを備える電力システムにおける電力制御方法であって、
前記クライアント装置が、前記複数の電力機器の稼働状況および電力値を含むデータのうち、少なくとも一部の電力機器のデータを集約するステップと、
前記クライアント装置が、データが集約された後の前記複数の電力機器のデータを、前記サーバ装置に送信するステップと、
前記サーバ装置が、データが集約された後の前記複数の電力機器のデータを受信するステップと、
前記サーバ装置が、受信した前記複数の電力機器のデータに基づいて、前記電力設備毎の運転計画を作成するステップと、
前記サーバ装置が、作成した前記運転計画の情報を、前記複数のクライアント装置に送信するステップと、
前記クライアント装置が、前記サーバ装置から前記運転計画の情報を受信するステップと、
前記クライアント装置が、受信した前記運転計画の情報に従い、前記複数の電力機器を制御するステップと
を含む電力制御方法。
【請求項８】
電力系統から一括受電した電力の分配先である複数の電力設備の各々について、当該電力設備の運転計画を作成するサーバ装置による運転計画作成方法であって、
前記複数の電力設備にそれぞれ対応付けられ、対応する電力設備に含まれる複数の電力機器を制御する複数のクライアント装置の各々から、前記複数の電力機器の稼働状況および電力値を含むデータのうち、少なくとも一部の電力機器のデータが集約された後の前記複数の電力機器のデータを受信するステップと、
受信した前記複数の電力機器のデータに基づいて、前記電力設備毎の運転計画を作成するステップと、
作成した前記運転計画の情報を、前記複数のクライアント装置に送信するステップと
を含む運転計画作成方法。
【請求項９】
電力系統から一括受電した電力の分配先である電力設備に対応付けられ、当該電力設備に含まれる複数の電力機器を制御するクライアント装置による電力機器制御方法であって、
前記複数の電力機器の稼働状況および電力値を含むデータのうち、少なくとも一部の電力機器のデータを集約するステップと、
データが集約された後の前記複数の電力機器のデータを、サーバ装置に送信するステップと、
前記サーバ装置から、前記電力設備の運転計画の情報を受信するステップと、
受信した前記運転計画の情報に従い、前記複数の電力機器を制御するステップと
を含む電力機器制御方法。
【請求項１０】
電力系統から一括受電した電力の分配先である複数の電力設備にそれぞれ対応付けられた複数のクライアント装置であって、対応する電力設備に含まれる複数の電力機器を制御する前記複数のクライアント装置の各々から、前記複数の電力機器の稼働状況および電力値を含むデータのうち、少なくとも一部の電力機器のデータが集約された後の前記複数の電力機器のデータを受信するデータ受信部と、
前記データ受信部が受信した前記複数の電力機器のデータに基づいて、前記電力設備毎の運転計画を作成する運転計画作成部と、
前記運転計画作成部が作成した前記運転計画の情報を、前記複数のクライアント装置に送信する運転計画送信部と
してコンピュータを機能させるためのコンピュータプログラム。
【請求項１１】
電力系統から一括受電した電力の分配先である電力設備に対応付けられ、当該電力設備に含まれる複数の電力機器の稼働状況および電力値を含むデータのうち、少なくとも一部の電力機器のデータを集約するデータ集約部と、
前記データ集約部によりデータが集約された後の前記複数の電力機器のデータを、サーバ装置に送信するデータ送信部と、
前記サーバ装置から、前記電力設備の運転計画の情報を受信する運転計画受信部と、
前記運転計画受信部が受信した前記運転計画の情報に従い、前記複数の電力機器を制御する機器制御部と
してコンピュータを機能させるためのコンピュータプログラム。
【発明の詳細な説明】
【技術分野】
【０００１】
本発明は、電力システム、サーバ装置、クライアント装置、電力制御方法、運転計画作成方法、電力機器制御方法およびコンピュータプログラムに関する。具体的には、電力系統から電力を一括受電して複数の電力設備に配電する電力システムにおいて、各電力設備の電力機器を制御するクライアント装置と電力設備の運転計画を作成するサーバ装置との通信の改良に関する。
【背景技術】
【０００２】
電力市場の自由化に伴い、各需要家が自ら電力会社を選択できるようになっている。その際、各需要家が個別に電力会社を選択して交渉するよりも、多くの需要家を一括りにして、一括して電力会社と交渉する方がより有利な条件を引き出すことができる。このような観点から、一括受電サービスが今後普及していくと考えられる。一括受電サービスにおいては、複数の需要家の受電を管理し、受電点を制御する仕組みが必要となる。また、電力の小売業者において、顧客となる複数の需要家の電力を管理し、同時同量を満たした受電制御が必要となる。このため、今後、各需要家の電力施設に設置された電力機器を制御するエネルギー管理システム（Energy Management System：以下、「ＥＭＳ」という。）と連携し、複数の電力設備のＥＭＳを統合して制御するＥＭＳが必要となる。
【０００３】
特許文献１には、電力設備のＥＭＳ（クライアント装置）にネットワークを介して接続され、電力設備に設置された電力機器の運転計画を作成するＥＭＳ（サーバ装置）が開示されている。
【先行技術文献】
【特許文献】
【０００４】
【特許文献１】特開２０１４−５０２７５号公報
【発明の概要】
【発明が解決しようとする課題】
【０００５】
一括受電サービスでは、１つのサーバ装置が複数のクライアント装置を管理し、各電力設備の運転計画を作成する必要がある。また、サーバ装置は、複数のクライアント装置から運転計画の作成に必要なデータを大量に受信する必要がある。このため、サーバ装置は、これらのデータを記憶するために大容量の記憶装置を備えなければならず、処理負荷も増大する。サーバ装置の処理負荷が増大したり、サーバ装置とクライアント装置との間で大量のデータをやり取りすることによる通信遅延が生じたりすると、リアルタイム性が重要となる、クライアント装置による電力機器の制御に影響を与えてしまう。
【０００６】
本発明は、このような問題点を解決するためになされたものであり、一括受電サービスにおいて、クライアント装置がリアルタイムで電力機器を制御することのできる電力システム等を提供することを目的とする。
【課題を解決するための手段】
【０００７】
（１）上記目的を達成するために、本発明の一実施態様に係る電力システムは、電力系統から一括受電した電力の分配先である複数の電力設備にそれぞれ対応付けられ、対応する電力設備に含まれる複数の電力機器を制御する複数のクライアント装置と、前記複数の電力設備の各々について、当該電力設備の運転計画を作成するサーバ装置とを備え、前記複数のクライアント装置の各々は、前記複数の電力機器の稼働状況および電力値を含むデータのうち、少なくとも一部の電力機器のデータを集約するデータ集約部と、前記データ集約部によりデータが集約された後の前記複数の電力機器のデータを、前記サーバ装置に送信するデータ送信部と、前記サーバ装置から前記運転計画の情報を受信する運転計画受信部と、前記運転計画受信部が受信した前記運転計画の情報に従い、前記複数の電力機器を制御する機器制御部とを含み、前記サーバ装置は、前記複数のクライアント装置の各々から、前記データ集約部によりデータが集約された後の前記複数の電力機器のデータを受信するデータ受信部と、前記データ受信部が受信した前記複数の電力機器のデータに基づいて、前記電力設備毎の運転計画を作成する運転計画作成部と、前記運転計画作成部が作成した前記運転計画の情報を、前記複数のクライアント装置に送信する運転計画送信部とを含む。
【０００８】
（５）本発明の他の一実施態様に係るサーバ装置は、電力系統から一括受電した電力の分配先である複数の電力設備の各々について、当該電力設備の運転計画を作成するサーバ装置であって、前記複数の電力設備にそれぞれ対応付けられ、対応する電力設備に含まれる複数の電力機器を制御する複数のクライアント装置の各々から、前記複数の電力機器の稼働状況および電力値を含むデータのうち、少なくとも一部の電力機器のデータが集約された後の前記複数の電力機器のデータを受信するデータ受信部と、前記データ受信部が受信した前記複数の電力機器のデータに基づいて、前記電力設備毎の運転計画を作成する運転計画作成部と、前記運転計画作成部が作成した前記運転計画の情報を、前記複数のクライアント装置に送信する運転計画送信部とを備える。
【０００９】
（６）本発明の他の一実施態様に係るクライアント装置は、電力系統から一括受電した電力の分配先である電力設備に対応付けられ、当該電力設備に含まれる複数の電力機器を制御するクライアント装置であって、前記複数の電力機器の稼働状況および電力値を含むデータのうち、少なくとも一部の電力機器のデータを集約するデータ集約部と、前記データ集約部によりデータが集約された後の前記複数の電力機器のデータを、サーバ装置に送信するデータ送信部と、前記サーバ装置から、前記電力設備の運転計画の情報を受信する運転計画受信部と、前記運転計画受信部が受信した前記運転計画の情報に従い、前記複数の電力機器を制御する機器制御部とを備える。
【００１０】
（７）本発明の他の一実施態様に係る電力制御方法は、電力系統から一括受電した電力の分配先である複数の電力設備にそれぞれ対応付けられ、対応する電力設備に含まれる複数の電力機器を制御する複数のクライアント装置と、前記複数の電力設備の各々について、当該電力設備の運転計画を作成するサーバ装置とを備える電力システムにおける電力制御方法であって、前記クライアント装置が、前記複数の電力機器の稼働状況および電力値を含むデータのうち、少なくとも一部の電力機器のデータを集約するステップと、前記クライアント装置が、データが集約された後の前記複数の電力機器のデータを、前記サーバ装置に送信するステップと、前記サーバ装置が、データが集約された後の前記複数の電力機器のデータを受信するステップと、前記サーバ装置が、受信した前記複数の電力機器のデータに基づいて、前記電力設備毎の運転計画を作成するステップと、前記サーバ装置が、作成した前記運転計画の情報を、前記複数のクライアント装置に送信するステップと、前記クライアント装置が、前記サーバ装置から前記運転計画の情報を受信するステップと、前記クライアント装置が、受信した前記運転計画の情報に従い、前記複数の電力機器を制御するステップとを含む。
【００１１】
（８）本発明の他の一実施態様に係る運転計画作成方法は、電力系統から一括受電した電力の分配先である複数の電力設備の各々について、当該電力設備の運転計画を作成するサーバ装置による運転計画作成方法であって、前記複数の電力設備にそれぞれ対応付けられ、対応する電力設備に含まれる複数の電力機器を制御する複数のクライアント装置の各々から、前記複数の電力機器の稼働状況および電力値を含むデータのうち、少なくとも一部の電力機器のデータが集約された後の前記複数の電力機器のデータを受信するステップと、受信した前記複数の電力機器のデータに基づいて、前記電力設備毎の運転計画を作成するステップと、作成した前記運転計画の情報を、前記複数のクライアント装置に送信するステップとを含む。
【００１２】
（９）本発明の他の一実施態様に係る電力機器制御方法は、電力系統から一括受電した電力の分配先である電力設備に対応付けられ、当該電力設備に含まれる複数の電力機器を制御するクライアント装置による電力機器制御方法であって、前記複数の電力機器の稼働状況および電力値を含むデータのうち、少なくとも一部の電力機器のデータを集約するステップと、データが集約された後の前記複数の電力機器のデータを、サーバ装置に送信するステップと、前記サーバ装置から、前記電力設備の運転計画の情報を受信するステップと、受信した前記運転計画の情報に従い、前記複数の電力機器を制御するステップとを含む。
【００１３】
（１０）本発明の他の一実施態様に係るコンピュータプログラムは、電力系統から一括受電した電力の分配先である複数の電力設備にそれぞれ対応付けられた複数のクライアント装置であって、対応する電力設備に含まれる複数の電力機器を制御する前記複数のクライアント装置の各々から、前記複数の電力機器の稼働状況および電力値を含むデータのうち、少なくとも一部の電力機器のデータが集約された後の前記複数の電力機器のデータを受信するデータ受信部と、前記データ受信部が受信した前記複数の電力機器のデータに基づいて、前記電力設備毎の運転計画を作成する運転計画作成部と、前記運転計画作成部が作成した前記運転計画の情報を、前記複数のクライアント装置に送信する運転計画送信部としてコンピュータを機能させる。
【００１４】
（１１）本発明の他の一実施態様に係るコンピュータプログラムは、電力系統から一括受電した電力の分配先である電力設備に対応付けられ、当該電力設備に含まれる複数の電力機器の稼働状況および電力値を含むデータのうち、少なくとも一部の電力機器のデータを集約するデータ集約部と、前記データ集約部によりデータが集約された後の前記複数の電力機器のデータを、サーバ装置に送信するデータ送信部と、前記サーバ装置から、前記電力設備の運転計画の情報を受信する運転計画受信部と、前記運転計画受信部が受信した前記運転計画の情報に従い、前記複数の電力機器を制御する機器制御部としてコンピュータを機能させる。
【発明の効果】
【００１５】
本発明によると、一括受電サービスにおいて、クライアント装置がリアルタイムで電力機器を制御することができる。
【図面の簡単な説明】
【００１６】
【図１】本発明の実施の形態に係る電力システムの構成例を示すブロック図である。
【図２】クライアント装置の機能的な構成を示すブロック図である。
【図３】サーバ装置の機能的な構成を示すブロック図である。
【図４】クライアント装置が実行する処理の流れを示すフローチャートである。
【図５】電力設備における電力の出力調整量と出力調整に要するコストとの関係を示す関数の一例を示す図である。
【図６】電力設備における電力の出力調整量と出力調整に要するコストとの関係を示すデータの一例を示す図である。
【図７】サーバ装置が実行する処理の流れを示すフローチャートである。
【図８】制約条件の変数および定数を説明するための図である。
【発明を実施するための形態】
【００１７】
最初に本発明の実施態様を列記して説明する。
【００１８】
（１）本発明の一実施態様に係る電力システムは、電力系統から一括受電した電力の分配先である複数の電力設備にそれぞれ対応付けられ、対応する電力設備に含まれる複数の電力機器を制御する複数のクライアント装置と、前記複数の電力設備の各々について、当該電力設備の運転計画を作成するサーバ装置とを備え、前記複数のクライアント装置の各々は、前記複数の電力機器の稼働状況および電力値を含むデータのうち、少なくとも一部の電力機器のデータを集約するデータ集約部と、前記データ集約部によりデータが集約された後の前記複数の電力機器のデータを、前記サーバ装置に送信するデータ送信部と、前記サーバ装置から前記運転計画の情報を受信する運転計画受信部と、前記運転計画受信部が受信した前記運転計画の情報に従い、前記複数の電力機器を制御する機器制御部とを含み、前記サーバ装置は、前記複数のクライアント装置の各々から、前記データ集約部によりデータが集約された後の前記複数の電力機器のデータを受信するデータ受信部と、前記データ受信部が受信した前記複数の電力機器のデータに基づいて、前記電力設備毎の運転計画を作成する運転計画作成部と、前記運転計画作成部が作成した前記運転計画の情報を、前記複数のクライアント装置に送信する運転計画送信部とを含む。
【００１９】
この構成によると、クライアント装置からサーバ装置に送信される複数の電気機器のデータは、一部のデータが集約された後のデータである。このため、クライアント装置からサーバ装置に送信されるデータの通信量を抑制することができる。これにより、サーバ装置は、これらのデータを記憶するための記憶装置として、大容量の記憶装置を用意する必要がなくなる。また、サーバ装置が処理するデータ量が少なくなるため、サーバ装置の処理負荷も削減することができる。これにより、サーバ装置の処理負荷を軽減し、サーバ装置とクライアント装置との間の通信遅延を防止することができる。このため、一括受電サービスにおいて、クライアント装置がリアルタイムで電力機器を制御することができる。
【００２０】
（２）また、前記運転計画作成部は、前記運転計画として、前記電力設備における電力の出力調整量の計画を作成してもよい。
【００２１】
この構成によると、サーバ装置は、電力設備における電力の出力調整量を運転計画として作成すればよく、電力設備に含まれる複数の電力機器の運転計画を作成する必要がない。このため、サーバ装置の処理負荷を削減することができる。
【００２２】
（３）また、前記データ集約部は、前記少なくとも一部の電力機器のデータを、前記出力調整量を変数とする目的関数を示すデータに集約してもよい。
【００２３】
この構成によると、電力機器のデータを、少ないデータ量である目的関数に集約することができる。このため、クライアント装置からサーバ装置に送信されるデータの通信量を効果的に抑制することができる。
【００２４】
（４）また、前記機器制御部は、前記運転計画受信部が受信した前記運転計画の情報に基づいて、前記複数の電力機器を個別に制御するための制御情報を作成し、作成した当該制御情報に基づいて前記複数の電力機器を制御してもよい。
【００２５】
この構成によると、クライアント装置は、運転計画として作成された電力の出力調整量を満たすように、複数の電力機器を制御する。このため、サーバ装置が、個々の電力機器の制御情報を作成する必要がなく、サーバ装置の処理負荷の増大を防ぐことができる。また、サーバ装置からクライアント装置に対して、個々の電力機器の制御情報を送信する必要もないため、サーバ装置からクライアント装置に送信されるデータの通信量も抑制することができる。
【００２６】
（５）本発明の他の一実施態様に係るサーバ装置は、電力系統から一括受電した電力の分配先である複数の電力設備の各々について、当該電力設備の運転計画を作成するサーバ装置であって、前記複数の電力設備にそれぞれ対応付けられ、対応する電力設備に含まれる複数の電力機器を制御する複数のクライアント装置の各々から、前記複数の電力機器の稼働状況および電力値を含むデータのうち、少なくとも一部の電力機器のデータが集約された後の前記複数の電力機器のデータを受信するデータ受信部と、前記データ受信部が受信した前記複数の電力機器のデータに基づいて、前記電力設備毎の運転計画を作成する運転計画作成部と、前記運転計画作成部が作成した前記運転計画の情報を、前記複数のクライアント装置に送信する運転計画送信部とを備える。
【００２７】
この構成によると、サーバ装置がクライアント装置から受信する複数の電気機器のデータは、一部のデータが集約された後のデータである。このため、クライアント装置からサーバ装置に送信されるデータの通信量を抑制することができる。これにより、サーバ装置は、これらのデータを記憶するための記憶装置として、大容量の記憶装置を用意する必要がなくなる。また、サーバ装置が処理するデータ量が少なくなるため、サーバ装置の処理負荷も削減することができる。これにより、サーバ装置の処理負荷を軽減し、サーバ装置とクライアント装置との間の通信遅延を防止することができる。このため、一括受電サービスにおいて、クライアント装置がリアルタイムで電力機器を制御することができる。
【００２８】
（６）本発明の他の一実施態様に係るクライアント装置は、電力系統から一括受電した電力の分配先である電力設備に対応付けられ、当該電力設備に含まれる複数の電力機器を制御するクライアント装置であって、前記複数の電力機器の稼働状況および電力値を含むデータのうち、少なくとも一部の電力機器のデータを集約するデータ集約部と、前記データ集約部によりデータが集約された後の前記複数の電力機器のデータを、サーバ装置に送信するデータ送信部と、前記サーバ装置から、前記電力設備の運転計画の情報を受信する運転計画受信部と、前記運転計画受信部が受信した前記運転計画の情報に従い、前記複数の電力機器を制御する機器制御部とを備える。
【００２９】
この構成によると、クライアント装置からサーバ装置に送信される複数の電気機器のデータは、一部のデータが集約された後のデータである。このため、クライアント装置からサーバ装置に送信されるデータの通信量を抑制することができる。これにより、サーバ装置とクライアント装置との間の通信遅延を防止することができる。このため、一括受電サービスにおいて、クライアント装置がリアルタイムで電力機器を制御することができる。
【００３０】
（７）本発明の他の一実施態様に係る電力制御方法は、（１）に示した電力システムが備える処理部に対応するステップを含む。
このため、（１）に示した電力システムと同様の作用および効果を奏することができる。
【００３１】
（８）本発明の他の一実施態様に係る運転計画作成方法は、（５）に示したサーバ装置が備える処理部に対応するステップを含む。
このため、（５）に示したサーバ装置と同様の作用および効果を奏することができる。
【００３２】
（９）本発明の他の一実施態様に係る電力機器制御方法は、（６）に示したクライアント装置が備える処理部に対応するステップを含む。
このため、（６）に示したクライアント装置と同様の作用および効果を奏することができる。
【００３３】
（１０）本発明の他の一実施態様に係るコンピュータプログラムは、（５）に示したサーバ装置が備える処理部としてコンピュータを機能させる。
このため、（５）に示したサーバ装置と同様の作用および効果を奏することができる。
【００３４】
（１１）本発明の他の一実施態様に係るコンピュータプログラムは、（６）に示したクライアント装置が備える処理部としてコンピュータを機能させる。
このため、（６）に示したクライアント装置と同様の作用および効果を奏することができる。
【００３５】
［本願発明の実施形態の詳細］
以下、本発明の実施の形態について、図面を用いて詳細に説明する。なお、以下で説明する実施の形態は、いずれも本発明の好ましい一具体例を示すものである。以下の実施の形態で示される数値、構成要素、構成要素の配置位置および接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００３６】
［１．システムの全体構成］
図１は、本発明の実施の形態に係る電力システムの構成例を示すブロック図である。
【００３７】
図１に示すように、本実施の形態に係る電力システム１は、サーバ装置２と、サーバ装置２の管理対象である複数の電力設備Ｅ（電力設備Ｅ１〜ＥＮ）とを備える。
【００３８】
電力会社８の電力系統から配電線９を介して送電される電力は、受電点Ｑにおいて一括受電される。一括受電された電力は、配電線９を介して、複数の電力設備Ｅ（電力設備Ｅ１〜ＥＮ）に分配される。なお、受電点Ｑにおける受電電力の上限値は、予め電力会社８との契約により定められている。
【００３９】
各電力設備Ｅは、各需要家の施設であり、例えば、工場などである。電力設備Ｅは、クライアント装置３と、発電装置４と、蓄電装置６と、負荷装置７とを備える。
【００４０】
クライアント装置３は、例えばＦＥＭＳ（Factory Energy Management System）サーバであり、電力設備Ｅに含まれる各電力機器（発電装置４、蓄電装置６および負荷装置７）の運転状態を制御する。
【００４１】
発電装置４は、例えば、ガスやディーゼル油などの燃焼エネルギーまたは燃料電池などの、化学変化によるエネルギーを電気エネルギーに変換する発電装置を含む。また、発電装置４は、太陽光を太陽電池を用いて電力に変換する太陽光発電装置を含んでいてもよい。発電装置４は、電力設備Ｅ内に配線された配電線９に接続されている。
【００４２】
蓄電装置６は、例えば、レドックスフロー（ＲＦ）電池、リチウムイオン電池、溶融塩電池、鉛蓄電池などの二次電池を含む。蓄電装置６は、双方向のＤＣ／ＡＣ変換器を介して配電線９に接続されている。なお、これらの二次電池に代えてフライホイールバッテリーや揚水発電機などが用いられてもよい。
【００４３】
負荷装置７は、例えば、生産機械などの電力調整が不可能あるいは可能であっても実際上調整が許されない非調整型の負荷装置を含む。また、負荷装置７は、照明、エアコンなどの、消費電力の調整が可能な調整型の負荷装置を含んでいてもよい。負荷装置７は、スマートタップやスマート分電盤などの、制御と電力情報の計測とが可能な機器を介して配電線９に接続されている。
【００４４】
クライアント装置３は、通信線１０を介して電力設備Ｅの各電力機器と接続されている。また、クライアント装置３は、通信線１０を介してサーバ装置２とも接続されている。クライアント装置３と各電力機器との間の通信およびクライアント装置３とサーバ装置２との間の通信は、有線ＬＡＮ（Local Area Network）などの有線通信や無線ＬＡＮなどの無線通信により行われる。
【００４５】
クライアント装置３は、制御指令を電力設備Ｅに含まれる各電力機器に送信することにより、各電力機器を制御する。また、クライアント装置３は、電力設備Ｅに含まれる各電力機器から、当該電力機器の稼働状況と電力値とを含むデータを受信する。
【００４６】
例えば、制御指令は、発電装置４の制御に関する指令であり、クライアント装置３は、制御指令により、発電装置４をオンまたはオフしてもよい。また、クライアント装置３は、発電量を調整可能な発電装置４に制御指令を送信することにより、発電量の調整を行ってもよい。
【００４７】
また、制御指令は、蓄電装置６の制御に関する指令であり、クライアント装置３は、制御指令により、蓄電装置６に接続されたＤＣ／ＡＣ変換器をオンまたはオフしてもよい。また、クライアント装置３は、蓄電装置６に制御指令を送信することにより、蓄電装置６の充電電力または放電電力を調整してもよい。
【００４８】
また、制御指令は、負荷装置７の制御に関する指令であり、クライアント装置３は、負荷装置７が接続されたスマートタップを、制御指令によりオンまたはオフすることができる。また、クライアント装置３は、消費電力を調整可能な負荷装置７に制御指令を送信することにより、負荷装置７の消費電力の削減等を行ってもよい。
【００４９】
クライアント装置３は、電力設備Ｅの発電装置４、蓄電装置６及び負荷装置７の稼働状況と電力値などよりなる電力機器のデータを、所定時間（例えば、１秒）ごとに収集する。クライアント装置３は、収集した電力機器のデータのうち少なくとも一部のデータを集約した上で、集約後の電力機器のデータをサーバ装置２に送信する。
【００５０】
サーバ装置２は、クライアント装置３から電力機器のデータを受信し、当該データに基づいて、各電力設備Ｅの運転計画を作成する。
【００５１】
［２．クライアント装置３の構成］
図２は、クライアント装置３の機能的な構成を示すブロック図である。クライアント装置３は、例えば、コンピュータにより構成される。
図２に示すように、クライアント装置３は、通信Ｉ／Ｆ部３１と、データ収集部３２と、データ集約部３３と、データ送信部３４と、運転計画受信部３５と、機器制御部３６とを備える。
【００５２】
通信Ｉ／Ｆ部３１は、クライアント装置３を通信線１０に接続するための通信インタフェースであり、例えば、ＬＡＮアダプタなどにより構成される。
【００５３】
データ収集部３２は、発電装置４、蓄電装置６および負荷装置７から、各電力機器の稼働状況と電力値などよりなるデータを、所定時間ごとに収集する。
【００５４】
データ集約部３３は、データ収集部３２が収集した複数の電力機器のデータのうち、少なくとも一部の電力機器のデータを集約する。データの集約方法については、後述する。
【００５５】
データ送信部３４は、データ集約部３３によりデータが集約された後の複数の電力機器のデータを、通信Ｉ／Ｆ部３１を介してサーバ装置２に送信する。データ集約部３３によりデータが集約された後の複数の電力機器のデータとは、データ収集部３２が収集した複数の電力機器のデータであって、少なくとも一部のデータをデータ集約部３３が集約したデータに置き換えたものである。つまり、データ送信部３４は、複数の電力機器のデータのうち、データ集約部３３によりデータが集約されたものについては、集約後のデータをサーバ装置２に送信し、データ集約部３３によりデータが集約されなかったものについては、データ収集部３２が収集したデータをサーバ装置２に送信する。
【００５６】
運転計画受信部３５は、通信Ｉ／Ｆ部３１を介して、サーバ装置２から電力設備Ｅの運転計画の情報を受信する。本実施の形態では、運転計画情報として、電力設備Ｅにおける電力の出力調整量の計画情報を受信する。つまり、個々の電力機器の出力調整量ではなく、電力設備Ｅ全体としての出力調整量の計画情報を受信する。
【００５７】
機器制御部３６は、運転計画受信部３５が受信した運転計画情報に従い、複数の電力機器を制御する。つまり、機器制御部３６は、運転計画情報が示す出力調整量の計画を満たすように、発電装置４、蓄電装置６および負荷装置７を制御するための制御情報を作成し、作成した制御情報に基づいて、発電装置４、蓄電装置６および負荷装置７を制御する。例えば、出力調整量が正の値の場合には、発電装置４の出力電力を増加させたり、蓄電装置６から電力を放電させたりするような制御情報を作成し、当該制御情報に基づいて個々の電力機器の出力調整を行うことで、出力調整量の計画を満たすことができる。また、出力調整量が負の値の場合には、発電装置４を停止させたり出力電力を減少させたり、発電装置４が発電した電力を蓄電装置６に充電させたりするような制御情報を作成し、当該制御情報に基づいて個々の電力機器の出力調整を行うことで、出力調整量の計画を満たすことができる。
【００５８】
［３．サーバ装置２の構成］
図３は、サーバ装置２の機能的な構成を示すブロック図である。サーバ装置２は、例えば、コンピュータにより構成される。
図３に示すように、サーバ装置２は、通信Ｉ／Ｆ部２１と、データ受信部２２と、記憶装置２３と、運転計画作成部２４と、運転計画送信部２５とを備える。
【００５９】
通信Ｉ／Ｆ部２１は、サーバ装置２を通信線１０に接続するための通信インタフェースである、例えば、ＬＡＮアダプタなどにより構成される。
【００６０】
データ受信部２２は、通信Ｉ／Ｆ部２１を介して、各電力設備Ｅのクライアント装置３から、一部のデータが集約された後の複数の電力機器のデータを受信する。データ受信部２２は、受信した電力機器のデータを、記憶装置２３に記憶する。
【００６１】
記憶装置２３は、ＨＤＤ（Hard Disk Drive）などにより構成され、データ受信部２２が受信した電力機器のデータの他、後述する運転計画作成部２４が作成した運転計画の情報など、運転計画の作成に必要な情報を記憶する。
【００６２】
運転計画作成部２４は、記憶装置２３に記憶された電力機器のデータに基づいて、予測発電電力値、予測需要電力値および運転計画の算出を行う。
【００６３】
つまり、運転計画作成部２４は、発電装置４が太陽光発電装置などの自然エネルギーを利用した発電装置を含む場合には、気象情報などに基づいて、当該発電装置の発電量の予測値（予測発電電力値）を算出する。運転計画作成部２４は、算出した予測発電電力値を記憶装置２３に記憶する。
【００６４】
また、運転計画作成部２４は、電力設備Ｅにおける過去の電力需要の実績値（スマートメータの時系列の計測値）および気象情報などに基づいて、例えば統計的手法により電力設備Ｅにおける将来の電力需要の予測値（予測需要電力値）を算出する。運転計画作成部２４は、算出した予測需要電力値を記憶装置２３に記憶する。
【００６５】
さらに、運転計画作成部２４は、予測発電電力値および予測需要電力値に基づいて、所定の計画期間（例えば、３０分間）における電力設備Ｅごとの運転計画として、電力設備Ｅにおける電力の調整量を算出する。例えば、運転計画作成部２４は、すべての電力設備Ｅにおける需要電力の合計が、一括受電可能な受電電力の上限値を上回っており、全体として１０００ｋＷの電力が不足すると予測される場合には、電力設備Ｅ１〜ＥＮの合計の調整量が１０００ｋＷになるように、調整量の計画を作成する。運転計画作成部２４は、作成した電力設備Ｅごとの運転計画の情報を記憶装置２３に記憶する。
【００６６】
運転計画送信部２５は、記憶装置２３から電力設備Ｅごとの運転計画の情報を読み出し、通信Ｉ／Ｆ部２１を介して、電力設備Ｅ１〜ＥＮのそれぞれのクライアント装置３に送信する。
【００６７】
［４．クライアント装置３の処理フロー］
次に、各電力設備Ｅのクライアント装置３が実行する処理について説明する。
図４は、クライアント装置３が実行する処理の流れを示すフローチャートである。
データ収集部３２は、発電装置４、蓄電装置６および負荷装置７から、各電力機器の稼働状況と電力値などよりなるデータを、所定時間ごとに収集する（Ｓ１）。例えば、データ収集部３２は、現在の発電装置４の稼働状況と電力値（発電量）を収集する。また、データ収集部３２は、現在の蓄電装置６の稼働状況、充電残量（State of Charge）および充放電電力量を収集する。さらに、データ収集部３２は、現在の負荷装置７の稼働状況と電力値（使用電力量）を収集する。
【００６８】
データ集約部３３は、現在の発電装置４および蓄電装置６の総出力量を算出する（Ｓ２）。つまり、データ集約部３３は、現在の発電装置４の発電量に現在の蓄電装置６の放電量を加算することにより、または、現在の発電装置４の発電量から現在の蓄電装置６の充電量を減算することにより、上記総出力量を算出する。
【００６９】
データ集約部３３は、発電装置４および蓄電装置６の総出力量を基準としたときの電力設備Ｅにおける電力の出力調整量と、出力調整に要するコストとの関係を算出する（Ｓ３）。データ集約部３３は、当該関係を関数（図５）で表してもよいし、データ形式（図６）で表してもよい。
【００７０】
図５は、電力設備Ｅにおける電力の出力調整量と出力調整に要するコストとの関係を示す関数の一例を示す図である。電力設備Ｅｉの時間ステップｔ（例えば、５分間）における電力の出力調整量Ｐａｄｊｕｓｔ（ｉ，ｔ）を横軸に示し、出力調整にかかるコストＣａｄｊｕｓｔ（ｉ，ｔ）を縦軸に示した時に、出力調整量Ｐａｄｊｕｓｔ（ｉ，ｔ）と出力調整にかかるコストＣａｄｊｕｓｔ（ｉ，ｔ）との関係を示す関数は、以下の式１のように記述することができる。なお、ＡｉおよびＢｉは、係数である。
Ｃａｄｊｕｓｔ（ｉ，ｔ）＝Ａｉ・Ｐａｄｊｕｓｔ（ｉ，ｔ）＋Ｂｉ  …（式１）
（ここで、−５０≦Ｐａｄｊｕｓｔ（ｉ，ｔ）≦５０）
【００７１】
図６は、電力設備Ｅにおける電力の出力調整量と出力調整に要するコストとの関係を示すデータの一例を示す図である。
【００７２】
同データは、電力設備Ｅ１の時間ステップｔ（９：００〜９：０５）における出力調整量の取り得る範囲が−５０ｋＷから５０ｋＷの間であることが示されている。また、出力調整量が−５０ｋＷ、０ｋＷおよび５０ｋＷの場合の目的関数の値、つまり出力調整に要するコストは、それぞれ、１００、３００および５００であることが示されている。
【００７３】
ステップＳ３の処理により、時間ステップｔ（図５および図６の例では５分間）の間の発電装置４の発電量および蓄電装置６の充放電電力量などの分散型電源に係るデータが、上記関係を表す関数またはデータに集約されたことになる。
【００７４】
データ送信部３４は、データ集約部３３により発電装置４および蓄電装置６のデータが集約された後の、複数の電力機器のデータを、通信Ｉ／Ｆ部３１を介してサーバ装置２に送信する（Ｓ４）。つまり、データ送信部３４は、集約後のデータとして、以下の（１）〜（３）に示すデータを送信する。ここで、（１）および（３）に示すデータは、データ収集部３２が収集したデータをデータ集約部３３が集約したデータであり、（２）に示すデータは、データ収集部３２が収集したデータであり、データ集約部３３によっては集約されていないデータである。
【００７５】
（送信データ）
（１）電力設備Ｅにおける電力の出力調整量と出力調整に要するコストとの関係を示す関数またはデータ（図５または図６）
（２）需要電力および太陽光発電装置の発電量の実績値
（３）現在の発電装置４および蓄電装置６の総出力量
【００７６】
ステップＳ４においてデータを送信すると、サーバ装置２は、クライアント装置３に対して、運転計画情報として、電力設備Ｅにおける電力の出力調整量の計画を送信する。このため、運転計画受信部３５は、通信Ｉ／Ｆ部３１を介してサーバ装置２から運転計画情報を受信する（Ｓ５）。
【００７７】
機器制御部３６は、運転計画受信部３５が受信した運転計画情報に基づいて、各電力機器を制御する（Ｓ６）。なお、制御方法は特に限定するものではないが、例えば、出力調整量を維持するように、各電力機器の電力量を制御するための制御情報を作成し、当該制御情報に基づいて各電力機器の電力量をフィードバック制御してもよい。
【００７８】
［５．サーバ装置２の処理フロー］
次に、サーバ装置２が実行する処理について説明する。
図７は、サーバ装置２が実行する処理の流れを示すフローチャートである。
データ受信部２２は、通信Ｉ／Ｆ部２１を介して、各電力設備Ｅのクライアント装置３から、一部のデータが集約された後の複数の電力機器のデータを受信し、受信した電力機器のデータを、記憶装置２３に記憶する（Ｓ１１）。つまり、データ受信部２２は、上記した（１）〜（３）の送信データを受信する。
【００７９】
運転計画作成部２４は、ステップＳ１１で記憶装置２３に記憶されたデータに基づいて、予測発電電力値および予測需要電力値を算出し、算出結果を記憶装置２３に記憶する（Ｓ１２）。
【００８０】
運転計画作成部２４は、目的関数および制約条件などの各電力設備Ｅの出力調整量の計画を作成するために必要な情報を、記憶装置２３から取得する（Ｓ１３）。
【００８１】
運転計画作成部２４は、ステップＳ１３で取得した情報に基づいて、各電力設備Ｅの出力調整量の計画を作成し、作成した運転計画情報を記憶装置２３に記憶する（Ｓ１４）。
【００８２】
運転計画送信部２５は、記憶装置２３に記憶されている運転計画情報を、通信Ｉ／Ｆ部２１を介して各電力設備Ｅのクライアント装置３に送信する（Ｓ１５）。
【００８３】
次に、サーバ装置２による運転計画の作成処理（図７のＳ１４）について説明する。
【００８４】
運転計画作成部２４は、数理計画法に基づいて、以下の（１）〜（４）の制約条件（式２〜式５）の下で、目的関数の値を最小にするように、出力調整量Ｐａｄｊｕｓｔ（ｉ，ｔ）の計画を作成する。ここで、添え字ｉは電力設備Ｅｉを示し（ｉ＝１〜Ｎ）、添え字ｔは時間ステップｔを示す。また、各変数または定数の意味は、図８に示すとおりである。
（目的関数）
最小化：Ｃｔｏｔａｌ
（制約条件）
（１）総コストの制約：
Ｃｔｏｔａｌ＝Σｔ（Σｉ（Ｃａｄｊｕｓｔ（ｉ，ｔ））＋Ｒｔ×（Ｐ０＋Ｐｄｅｌｔａ（ｔ）））
…（式２）
（２）受電電力上限の制約：
Ｐｍａｘ≧Ｐ０＋Ｐｄｅｌｔａ（ｔ）  …（式３）
（３）エネルギーバランスの制約：
Ｐ０＋Ｐｄｅｌｔａ（ｔ）＋Σｉ（Ｐａｄｊｕｓｔ（ｉ，ｔ））＋Ｐｐｖ（ｉ，ｔ）
＝Σｉ（Ｐｄｅｍａｎｄ（ｉ，ｔ））  …（式４）
（４）出力調整量にかかるコスト制約：
Ｃａｄｊｕｓｔ（ｉ，ｔ）＝Ａｉ・Ｐａｄｊｕｓｔ（ｉ，ｔ）＋Ｂｉ  …（式５）
【００８５】
このように、運転計画作成部２４では、各電力設備Ｅに含まれる各電力機器の個別の運転計画を作成するのではなく、各電力設備Ｅについて出力調整量または受電電力の調整量を運転計画として作成する。
【００８６】
［６．比較例］
次に、比較例について説明する。比較例では、従来法と同様に、各電力設備Ｅに含まれる各電力機器の個別の運転計画を作成する。
【００８７】
つまり、比較例では、数理計画法に基づいて、以下の制約条件の下で、目的関数（総コスト）を最小化するように、各電力設備Ｅに含まれる各電力機器の個別の運転計画を作成する。
（目的関数）
最小化：総コスト
（制約条件）
（１）総コスト（電気料金、ガス料金、メンテナンス料金）の制約
（２）受電電力上限の制約
（３）エネルギーバランスの制約
（４）蓄電装置の充電残量の制約
（５）蓄電装置の出力範囲の制約
（６）蓄電装置の充放電効率の制約
（７）発電装置の出力範囲の制約
（８）発電装置の出力変化量の制約
（９）発電装置の燃費の制約
【００８８】
また、各電力設備Ｅのクライアント装置からサーバ装置に送信されるデータは、以下を含む。
（送信データ）
（１）需要電力および太陽光発電装置の発電量の実績値
（２）現在の発電装置の運転状態
（３）現在の発電装置の出力量（発電量）
（４）現在の発電装置の制御設定値（出力上下限値）
（５）現在の蓄電装置の運転状態
（６）現在の蓄電装置の出力量（充放電電力量）
（７）現在の蓄電装置の充電残量
（８）現在の蓄電装置の制御設定値（出力上下限値、充電残量範囲など）
（９）現在の太陽光発電装置の運転状態
【００８９】
この比較例からもわかるように、従来は、発電装置および蓄電装置毎に個々のデータを送信していたが、本実施の形態ではこれらを少数のデータに集約してクライアント装置３からサーバ装置２に送信している。このため、通信量を削減することができる。
【００９０】
また、本実施の形態では制約条件の数も比較例に比べて少ない。これは、本実施の形態では電力設備Ｅの調整量の計画を作成しているため、比較例のように電力機器ごとに制約条件を作成する必要がないためである。このため、比較例に比べて、高速に運転計画を作成することができる。
【００９１】
［７．実施の形態の効果等］
以上説明したように、本実施の形態によると、クライアント装置３からサーバ装置２に送信される複数の電気機器のデータは、少なくとも一部のデータが集約された後のデータである。このため、クライアント装置３からサーバ装置２に送信されるデータの通信量を抑制することができる。これにより、サーバ装置２は、これらのデータを記憶するための記憶装置として、大容量の記憶装置を用意する必要がなくなる。また、サーバ装置２が処理するデータ量が少なくなるため、サーバ装置２の処理負荷も削減することができる。これにより、サーバ装置２の処理負荷を軽減し、サーバ装置２とクライアント装置３との間の通信遅延を防止することができる。このため、一括受電サービスにおいて、クライアント装置３がリアルタイムで電力機器を制御することができる。
【００９２】
また、サーバ装置２は、電力設備における電力の出力調整量を運転計画として作成すればよく、電力設備に含まれる複数の電力機器の運転計画を作成する必要がない。このため、サーバ装置２の処理負荷を削減することができる。
【００９３】
特に、電力機器のデータを、少ないデータ量である目的関数に集約することができる。このため、クライアント装置３からサーバ装置２に送信されるデータの通信量を効果的に抑制することができる。
【００９４】
また、クライアント装置３は、運転計画として作成された電力の出力調整量を満たすように、複数の電力機器を制御する。このため、サーバ装置２が、個々の電力機器の制御情報を作成する必要がなく、サーバ装置２の処理負荷の増大を防ぐことができる。また、サーバ装置２からクライアント装置３に対して、個々の電力機器の制御情報を送信する必要もないため、サーバ装置２からクライアント装置３に送信されるデータの通信量も抑制することができる。
【００９５】
［８．付記］
以上、本発明の実施の形態に係る電力システム１について説明したが、本発明は、この実施の形態に限定されるものではない。
【００９６】
例えば、図５および式１に、電力設備Ｅにおける電力の出力調整量と出力調整に要するコストとの関係を示す関数として一次関数を示したが、二次関数や指数関数などの非線形関数であってもよい。また、上記関数は区分線形関数であってもよい。式６に区分線形関数の一例を示す。
【数１】
2017118698.tif 000003
【００９７】
また、データ集約部３３が算出する関係は、出力調整量とコストとの関係に限定されるものではなく、その他の関係であってもよい。データ集約部３３は、出力調整量と出力調整に要する時間との関係を作成してもよい。これにより、出力調整のリアルタイム性を重視した計画を作成することができる。また、データ集約部３３は、出力調整量とコスト以外のＣＯ２排出量との関係を作成してもよい。これにより、ＣＯ２排出量抑制を重視した計画を作成することができる。
また、上述の実施の形態では、クライアント装置３がＦＥＭＳサーバである例を示したが、クライアント装置３は、ＨＥＭＳ（Home Energy Management System）サーバ、ＢＥＭＳ（Building Energy Management System）サーバ、ＣＥＭＳ（Community Energy Management System）サーバまたはＭＥＭＳ（Mansion Energy Management System）サーバなどの、電力機器を制御する他のサーバであってもよい。
【００９８】
また、上記の各装置は、具体的には、マイクロプロセッサ、ＲＯＭ（Read Only Memory）、ＲＡＭ（Random Access Memory）、ＨＤＤ、ディスプレイユニット、キーボード、マウスなどから構成されるコンピュータシステムとして構成されてもよい。ＲＡＭまたはＨＤＤには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９９】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１００】
さらに、本発明は、上記コンピュータプログラムまたは上記デジタル信号をコンピュータ読取可能な非一時的な記録媒体、例えば、ＨＤＤ、ＣＤ−ＲＯＭ、半導体メモリなどに記録したものとしてもよい。また、これらの非一時的な記録媒体に記録されている上記デジタル信号であるとしてもよい。
【０１０１】
また、上記コンピュータプログラムに含まれる各ステップは、複数のコンピュータにより実行されてもよい。
【０１０２】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【０１０３】
１      電力システム
２      サーバ装置
３      クライアント装置
４      発電装置
６      蓄電装置
７      負荷装置
８      電力会社
９      配電線
１０    通信線
２１、３１    通信Ｉ／Ｆ部
２２    データ受信部
２３    記憶装置
２４    運転計画作成部
２５    運転計画送信部
３２    データ収集部
３３    データ集約部
３４    データ送信部
３５    運転計画受信部
３６    機器制御部
Ｅ、Ｅ１〜ＥＮ      電力設備
【図１】
2017118698.tif 000004
【図２】
2017118698.tif 000005
【図３】
2017118698.tif 000006
【図４】
2017118698.tif 000007
【図５】
2017118698.tif 000008
【図６】
2017118698.tif 000009
【図７】
2017118698.tif 000010
【図８】
2017118698.tif 000011